(57)【特許請求の範囲】
【請求項１】
複数のアクセスリソースを有するランダムアクセスチャンネルを備える通信システムにおいてデータを送受信する通信装置において、上記複数のアクセスリソースは、少なくとも２つのアクセスリソースグループにグループ化され、当該通信装置は、上記少なくとも２つのアクセスリソースグループのうちの１つが割り当てられ、
当該通信装置に割り当てられているアクセス確率分布に基づいて、当該通信装置に割り当てられている上記アクセスリソースグループからのみアクセスリソースをランダムに選択する選択手段であって、前記アクセス確率分布は、前記複数のアクセスリソースの各アクセスリソースについて、当該通信装置の前記アクセスリソースへのランダムアクセスの確率を定義し、前記割り当てられたアクセスリソースグループの少なくとも２つのアクセスリソースへの当該通信装置の前記ランダムアクセスの確率は互いに異なる、選択手段と、
上記ランダムに選択されたアクセスリソースを用いてランダムアクセスバーストを送信する送信手段と、
を備える、通信装置。
【請求項２】
上記アクセス確率分布を記憶する記憶手段を備える請求項１記載の通信装置。
【請求項３】
上記記憶手段は、当該通信装置に内蔵されていることを特徴とする請求項２記載の通信装置。
【請求項４】
上記記憶手段は、当該通信装置に接続可能な装置の一部であることを特徴とする請求項２記載の通信装置。
【請求項５】
当該通信装置は、無線通信システムの移動端末装置であり、上記接続可能な装置は、加入者識別モジュールであることを特徴とする請求項４記載の通信装置。
【請求項６】
当該通信装置は、無線通信システムの移動端末装置であり、上記接続可能な装置は、メモリスティックであることを特徴とする請求項４記載の通信装置。
【請求項７】
上記アクセス確率分布は、特定のイベントの発生に応じて変更されることを特徴とする請求項１乃至６いずれか１項記載の通信装置。
【請求項８】
上記特定のイベントは、他の通信装置からの対応する情報の受信であることを特徴とする請求項７記載の通信装置。
【請求項９】
上記特定のイベントは時刻であることを特徴とする請求項７記載の通信装置。
【請求項１０】
当該通信装置は、無線汎用移動通信システムの移動端末装置であり、上記ランダムアクセルチャンネルのアクセスリソースは、タイムスロット及びシグネチャコードにより定義されることを特徴とする請求項１乃至９いずれか１項記載の通信装置。
【請求項１１】
複数のアクセスリソースを有するランダムアクセスチャンネルを備える通信システムにおいてデータを送受信するための通信装置による通信方法において、上記複数のアクセスリソースは、少なくとも２つのアクセスリソースグループにグループ化され、当該通信装置は、上記少なくとも２つのアクセスリソースグループのうちの１つが割り当てられ、
当該通信装置に割り当てられているアクセス確率分布に基づいて、当該通信装置に割り当てられている上記アクセスリソースグループからのみアクセスリソースをランダムに選択するステップと、
ここで、前記アクセス確率分布は、前記複数のアクセスリソースの各アクセスリソースについて、当該通信装置の前記アクセスリソースへのランダムアクセスの確率を定義し、前記割り当てられたアクセスリソースグループの少なくとも２つのアクセスリソースへの当該通信装置の前記ランダムアクセスの確率は互いに異なり、
上記ランダムに選択されたアクセスリソースを用いてランダムアクセスバーストを送信するステップと、を有する、通信方法。
【請求項１２】
上記アクセス確率分布は、特定のイベントの発生に応じて変更されることを特徴とする請求項１１記載の通信方法。
【請求項１３】
上記特定のイベントは、他の通信装置からの対応する情報の受信であることを特徴とする請求項１２記載の通信方法。
【請求項１４】
上記特定のイベントは時刻であることを特徴とする請求項１２記載の通信方法。
【請求項１５】
当該通信装置は、無線汎用移動通信システムの移動端末装置あり、上記ランダムアクセルチャンネルのアクセスリソースは、タイムスロット及びシグネチャコードにより定義されることを特徴とする請求項１１乃至１４いずれか１項記載の通信方法。
【発明の詳細な説明】
【０００１】
【発明の属する技術分野】
本発明は、複数のアクセスリソースを有するランダムアクセスチャンネルが設けられた通信システムにおける通信装置及び通信方法に関し、特に、ランダムアクセスチャンネルのアクセスリソースへのアクセスに特徴を有する通信装置及び通信方法に関する。
【０００２】
【従来の技術】
ランダムアクセスチャンネル（random access channel）は、通信システム内において、ある通信装置から他の通信装置への接続を確立するために使用される共通通信チャンネル（common communication channel）である。この場合の通信システムは、無線通信システムであってもよく、有線通信システムであってもよく、これらを組み合わせた通信システムであってもよい。
【０００３】
ランダムアクセスチャンネルのアクセスリソース（access resource）は、例えば接続を確立し、又はショートメッセージを送信することを望む通信装置によりランダムにアクセスされる。このため、アクセスは、コンテンション方式（contention-based）であり、すなわち複数の通信装置が同じリソースに同時にアクセスして接続を確立しようとする場合がある。汎用移動通信システム（Universal Mobile Telecommunication System：以下、ＵＭＴＳという。）又はＵＭＴＳ方式に類似する方式等の無線通信方式では、接続の確立又はデータの送信を望む移動端末装置がアクセスリソースをランダムに選択し、ランダムアクセスバースト（random access burst）のプリアンブルパート（preamble part）を基地局に送信することにより、ランダムアクセスチャンネルのアクセスリソースを要求する。ここで、ランダムアクセスバーストのプリアンブルパートは、ランダムに選択されたアクセスリソースの要求を表している。プリアンブルパートを受け取った基地局は、要求されたアクセスリソースが使用可能な状態にあるか否かを判定し、対応する応答信号を移動端末装置に送信する。例えば、適切なアクセスリソースがネットワーク側で使用できない場合等の状況では、基地局は要求されたアクセスリソースが使用できない旨を示す否定応答信号（negative acknowledgement signal）を移動端末装置に送信する。一方、アクセスリソースが使用可能な状態にあり、各基地局が要求を許諾した場合、基地局は移動端末装置に肯定応答信号（positive acknowledgement signal）を送信する。肯定応答信号を受け取った移動端末装置は、接続確立のための及び／又は移動端末装置と基地局の間のデータ伝送の基礎となるデータを含むランダムアクセスバーストのメッセージパート（message part）を基地局に送信する。複数の移動端末装置が同じアクセスリソースに同時にアクセスした場合、基地局は、アクセス要求を受け取ることができず、したがって応答信号を送信することができない。この場合、移動端末装置は、再びアクセス要求を送信する必要がある。
【０００４】
アクセスリソースは、時分割多元接続（Time Divisional Multiple Access：以下、ＴＤＭＡという。）方式におけるタイムスロット、周波数分割多元接続（Frequency Division Multiple Access：以下、ＦＤＭＡという。）方式における周波数、符号分割多元接続（Code Division Multiple Access）方式における符号、あるいは、タイムスロットとシグネチャコードによりランダムアクセスチャンネル内のアクセスリソースが定義されているＵＭＴＳ方式においてはこれらの組み合わせ等、実際の通信方式に応じて様々なものが用いられる。
【０００５】
【発明が解決しようとする課題】
ランダムアクセスチャンネルにおけるランダムアクセスリソースへのアクセスを確保する方式（mechanism）における問題は、アクセスの競合が発生するという点である。ランダムアクセスチャンネルにおいて、よりアクセスを効率的に行うための幾つかの方法が提案されている。例えば、欧州特許条約第５４条（３）に基づいて公開された欧州特許出願番号９８１１８８１９．６号では、ランダムアクセスチャンネルのアクセスリソースを複数のグループに分割し、各グループを各優先クラスに対応させる方法が提案されている。各優先クラスは、伝送すべきランダムアクセスデータの伝送優先度（transmission priority）を表している。これにより、種類の異なるデータに対するアクセス要求は、異なる優先度で伝送され、すなわち、ある種のデータがランダムアクセスチャンネルのアクセスリソースへのアクセスを確保できる確率が他の種のデータより高められている。しかしながら、この方式は、所定数のアクセスリソースを特定のデータに固定的に割り当てているため、柔軟性を欠いている。さらに、特定のアクセス優先度、すなわちアクセスの確率を決定する判定基準は、データの種類のみである。
【０００６】
国際特許公開公報ＷＯ９７／１９５２５号には、より柔軟性を有する方式が開示されている。この方式では、通信システムにおけるランダムアクセスチャンネルのアクセスは、様々な優先度を有する加入者又はメッセージに応じてアクセスの確率を変化させる。このため移動端末装置は、複数の優先度グループにグループ化され、各グループは、ランダムアセスチャンネルのアクセスリソースに対して、異なるアクセス確率を有している。ここでは、移動端末装置のアクセス確率の分布及び割当に関する２つのスキーム、すなわち、比例的優先度分布（proportional priority distribution）及び一時的優先度分布（temporal priority distribution）が提案されている。比例的優先度分布では、移動端末装置の各グループは、ランダムアクセスチャンネルにいて使用可能な全てのアクセスリソースにアクセスしようとするが、そのアクセス確率が異なるものとされている。すなわち、各グループは、異なるアクセス確率を有しているが、全てのユーザは全てのアクセスリソースにアクセスすることができる。一時的優先度分布では、優先度が最も高いグループ、すなわち、アクセスリソースへのアクセス確率が最も高いグループが全てのアクセスリソースにアクセスしようとし、一方、優先度の低いユーザグループ、すなわちアクセス確率が低いユーザグループは、使用可能なアクセスリソースの一部のみに対してアクセスを試みる。この方法における問題は、優先度が最も高いグループによるアクセスの試みが他の優先度グループのアクセスの試みを満足させなくてはならない点である。さらに、ここで提案されている方法では、全てのアクセスリソースを同等に取り扱う。通信方式が、例えばＴＤＭＡ方式である場合、アクセスリソースはタイムスロットである。全てのタイムスロット及び与えられたユーザ又はデータの種類に対して、ランダムアクセスは、通常、持続値（persistence）と称される形式の確率を有し、各タイムスロットは、この同じ確率の下で使用される。すなわち、同等に取り扱われる各タイムスロットについて、この確率に基づき、そのタイムスロットをアクセスバーストの送信に使用できるか否かが判定される。タイムスロットがアクセスバーストの送信に使用できない場合、次のタイムスロットに関する判定が行われる。
【０００７】
そこで、本発明は、上述の課題に鑑み、ランダムアクセスチャンネルにおけるアクセスリソースにより効率的且つより柔軟にアクセスして、データを送受信することができる通信装置及び通信方法を提供することを目的とする。
【０００８】
【課題を解決するための手段】
上述の目的を達成するために、本発明に係る通信装置は、複数のアクセスリソースを有するランダムアクセスチャンネルを備える通信システムにおいてデータを送受信する通信装置において、アクセス確率分布は、少なくとも２つのアクセスリソースが異なるアクセス確率を有するように、アクセスリソースへのランダムアクセスの確率を決定するものであり、通信装置に割り当てられているこのアクセス確率分布に基づいて、複数のアクセスリソースから任意のアクセスリソースをランダムに選択する選択手段と、ランダムに選択されたアクセスリソースを用いてランダムアクセスバーストを送信する送信手段とを備える。
【０００９】
本発明に係る通信装置により、通信システムにおけるランダムアクセスチャンネルのアクセスリソースへのより効率的且つ柔軟なアクセスが実現される。ここで、通信システムは、無線通信システムであっても有線通信システムであってもよく、あるいはこれらを組み合わせたものであってもよい。特に、本発明は、ランダムアクセスチャンネルのアクセスリソースへのランダムアクセスに用いる確率分布を各通信装置又はユーザに割り当てることにより、ユーザ又は通信装置の優先度を決定する。
【００１０】
好ましくは、複数のアクセスリソースは、少なくとも２つのアクセスリソースグループにグループ化され、通信装置には、少なくとも２つのアクセスリソースグループのうちの１つが割り当てられ、選択手段は、アクセス確率分布に基づき、通信装置に割り当てられているアクセスリソースグループのみからアクセスリソースをランダムに選択する。１つのアクセスリソースグループが割り当てられている全ての通信装置は、同じアクセス確率分布を用いてアクセスリソースにアクセスしてもよく、異なるアクセス確率分布を用いてアクセスリソースにアクセスしてもよい。さらに、通信システム内の通信装置をグループ化し、各グループにアクセス確率分布を割り当て、グループ内の全ての通信装置がグループに割り当てられたアクセス確率分布を使用するようにしてもよい。他のグループに属する通信装置は、これとは異なるアクセス確率分布を用いる。
【００１１】
さらに、好ましくは、本発明に係る通信装置には、アクセス確率分布を記憶する記憶手段を設けてもよい。この記憶手段は、通信装置に内蔵された一部であてもよく、通信装置に接続可能な装置の一部であってもよい。通信装置が無線通信システムの移動端末装置である場合、接続可能な装置は、加入者識別モジュール又はメモリスティックとするとよい。
【００１２】
さらに、アクセス確率分布を特定のイベントの発生に応じて変更してもよい。例えば、ランダムアクセスチャンネルへのアクセス要求を送信し、所定回数の否定応答信号を受け取った後、通信装置のアクセス確率を高めるために、アクセス確率分布を変更するようにしてもよい。また、例えば標準設定として、特定のデータの種類に対し所定のアクセス確率分布が割り当てられている場合、データの種類とは独立してアクセス確率分布を変更するようにしてもよい。特定のイベントは、他の通信装置からの対応する情報の受信であってもよい。この場合、確率分布は、システムパラメータが変更され、アクセス確率分布を変更する必要が生じた場合に変更してもよい。このシステムパラメータの変更は、他の通信装置から受け取ってもよい。これに代えて、特定のイベントは時刻であってもよい。通信システムを使用する複数のユーザの振る舞いが時間帯によって大きく変動する場合、この振る舞いの変動に応じてアクセス確率分布を変更してもよい。
【００１３】
また、通信装置が無線汎用移動通信システム（ＵＭＴＳ）の移動端末装置である場合、ランダムアクセルチャンネルのアクセスリソースは、タイムスロット及びシグネチャコードにより定義される。
【００１４】
また、上述の課題を解決するために、本発明に係る通信方法は、複数のアクセスリソースを有するランダムアクセスチャンネルを備える通信システムにおいてデータを送受信するための通信方法において、少なくとも２つのアクセスリソースが異なるアクセス確率を有するように、アクセスリソースへのランダムアクセスの確率を定義し、割り当てられているアクセス確率分布に基づいて、複数のアクセスリソースから任意のアクセスリソースをランダムに選択するステップと、ランダムに選択されたアクセスリソースを用いてランダムアクセスバーストを送信するステップとを有する。
【００１５】
【発明の実施の形態】
以下、本発明に係る通信装置及び通信方法について、図面を参照して詳細に説明する。
【００１６】
図１は、本発明を適用した通信装置１の構成を示すブロック図である。通信装置１は、無線通信システムにおける移動端末装置であり、アンテナ２と、アンテナ２に接続され、無線通信システムにおける基地局又は他の移動端末装置に通信データを送信するための送信回路３と、アンテナ２に接続され、無線通信システムにおける基地局又は他の移動端末装置から通信データを受信するための受信回路４とを備える。なお、無線通信システムは、例えば移動通信用グローバルシステム（Global System for Mobile communications：以下、ＧＳＭという。）及び汎用移動通信システム（Universal Mobile Telecommunication System：以下、ＵＭＴＳという。）等である。なお、通信装置１は、符号化器、復号器、変調器、復調器等、データの送受信及び処理に必要な全ての回路を備えているが、これらは当分野に周知のものであるため、図１では示さず、本明細書では特に説明しない。また、図１に示す通信装置は、本発明に基づく通信装置の一例に過ぎず、本発明に基づく通信装置は、例えば電話機やパーソナルコンピュータ等、有線通信システムにおける端末装置であってもよい。
【００１７】
本発明に基づく通信装置１が動作し、本発明に基づく通信方法を実現する通信装置は、複数のアクセスリソースを備えるランダムアクセスチャンネル（random access channel：ＲＡＣＨ）を有する。通信装置１は、これらのリソースを用いて接続を確立する。無線通信システムの場合、移動端末装置は、ランダムアクセスチャンネルのアクセスリソースを用いて、対応する基地局にアクセス要求を送信する。ＵＭＴＳシステムでは、アクセス要求は、ランダムアクセスバーストにおけるプリアンブルパートにより送信される。アクセスリソースはランダムにアクセスされ、このためアクセスの競合が引き起こる。すなわち、基地局における同じアクセスリソースに対し、異なる移動端末装置から同時にアクセス要求が送信された場合、アクセスの競合が引き起こる。この場合、基地局は、いずれの移動端末装置から発せられたアクセス要求も受け取らず、したがって、いずれの移動端末装置も応答信号を受け取らず、このため、各移動端末装置は、所定時間経過後に再びアクセス要求を送信しなくてはならない。このような処理は、有線ネットワークにより接続された機器間においても同様に行われる。
【００１８】
本発明では、通信装置１にアクセス確率分布（access probability distribution）を割り当てている。このアクセス確率分布は、ランダムアクセスチャンネルのアクセスリソースへのランダムアクセスの確率を決定するものである。本発明では、少なくとも２つのランダムアクセスリソースに対し異なるアクセス確率を与えている。通信装置１は、メモリ７に格納されている割り当てられたランダムアクセス確率分布に基づいて、アクセスリソースをランダムに選択する選択回路５を備える。ランダムアクセスバーストは、送信回路３からアンテナ２を介して、例えば基地局等の他の通信装置に送信される。
【００１９】
ここで、説明のため、ランダムアクセスチャンネルにおいて使用できるアクセスリソースが３つしかないと仮定し、各アクセスリソースをｒ１、ｒ２、ｒ３とする。さらに、通信システム内には、４つの通信装置又はユーザが存在し、これら通信装置がアクセスリソースにランダムにアクセスするとし、これら４つの異なる通信装置又はユーザをｕ１、ｕ２、ｕ３、ｕ４とする。各ユーザｕ１、ｕ２、ｕ３、ｕ４に対しては、各アクセスリソースに対するランダムアクセスの確率を定義する異なるアクセス確率分布を割り当てている。これら４つの異なるアクセス確率分布の例を以下に示す。ここで、ｐ（ｕｉ，ｒｊ）は、ユーザｕｉがランダムアクセスチャンネルへのアクセスを試みる場合にアクセスリソースｒｊにアクセスする確率を表している。
p(u１,r１)=80%    p(u１,r２)=10%    p(u１,r３)=10%
p(u２,r１)=10%    p(u２,r２)=80%    p(u２,r３)=10%
p(u３,r１)=10%    p(u３,r２)=20%    p(u３,r３)=70%
p(u４,r１)=10%    p(u４,r２)=20%    p(u４,r３)=70%
この表より、例えばユーザｕ１は、高い確率でアクセスリソースｒ１にアクセスし、一方他のユーザｕ２、ｕ３、ｕ４がこのアクセスリソースｒ１にアクセスすることは希であるため、ユーザｕ１がランダムアクセスチャンネルにアクセスしたとき、他のユーザｕ２、ｕ３、ｕ４からのアクセスと衝突が生じる可能性は極めて低い。ユーザｕ２は、多くの場合、アクセスリソースｒ２にアクセスするが、アクセスリソースｒ２は、他のユーザによりアクセスされる可能性が比較的高いので、ユーザｕ２は、ユーザｕ１に比べて衝突を生じやすい。さらに、ユーザｕ３は、アクセスリソースｒ３にアクセスする可能性が高いが、アクセスリソースｒ３は、他のユーザからアクセスされる可能性も極めて高く、したがって、衝突が生じる可能性が極めて高い。ユーザｒ４もユーザｒ３と同様である。
【００２０】
ユーザ又は通信装置にそれぞれ異なるアクセス確率分布を割り当てる代わりに、ユーザ又は通信装置のグループを定義し、各グループに対してアクセス確率分布を割り当ててもよい。この場合、同一グループ内のユーザ又は通信装置は、同一の確率分布を有する。これにより、複数のユーザ又は通信装置に対する異なる優先度クラス（prioritisation classes）を構築することができる。各グループ内では、ランダムアクセスチャンネルへのアクセスに同一のアクセス確率分布を用いる。なお、アクセス確率分布を信号として伝送又は送信するようにしてもよい。この場合、各アクセス確率分布情報を単一の通信装置又はユーザ毎にではなく、グループ毎に伝送又は送信すればよい。グループを設け、このようにアクセス確率分布を信号として伝送又は送信することにより、ユーザ又は通信装置へのアクセス確率分布の割り当てに関するオーバーヘッドを低減することができる。上述の具体例においては、ユーザｕ１は、第１のユーザグループに属するものとし、ユーザｕ２は、第２のユーザグループに属するものとし、ユーザｕ３は、第３のユーザグループに属するものとし、ユーザｕ４は、第４のユーザグループに属するものとすることができる。ここで、第３及び第４のユーザグループは、第１及び第２のユーザグループとは異なる共通のアクセス確率分布を有する。
【００２１】
ユーザ又は通信装置をグループ化することに代えて、あるいはこれらのグループ化に加えて、通信システムのランダムアクセスチャンネルのアクセスリソースを２つ以上のグループに分割してもよいが、この場合、通信装置又はユーザは、複数のアクセスリソースグループの１つに割り当てられ、アクセスリソースは、アクセス確率分布に基づき、それぞれに割り当てられたアクセスリソースグループのみからランダムに選択される。上述の具体例では、アクセスリソースｒ１、ｒ２、ｒ３は、例えば、１つのグループを形成し、このグループにユーザｕ１、ｕ２、ｕ３、ｕ４が割り当てられている。なお、アクセスリソースグループは、この他のアクセスリソースにより構成されてもよい。アクセスリソースを異なるグループにグループ化する手法について、図２及び図３を用いて説明する。
【００２２】
アクセスリソースは、対応する無線又は有線通信システムに用いられている多元接続方式に応じて、通常、周波数、タイムスロット、符号又はこれらの組合わせとして定義される。図２に示す具体例では、アクセスリソース又はランダムアクセスチャンネルをタイムスロットとしている。１受信サイクル又はランダムアクセスタイムウィンドウは、８つのタイムスロット＃０，＃１・・・＃７からなる。図２に示す具体例では、使用可能な８つのアクセスリソース又はタイムスロットを３つのアクセスリソースグループに分割している。第１のグループは、斜線の縞模様で表されている５つのタイムスロット＃０，＃３，＃４，＃６，＃７からなり、第２のグループは、垂直線の縞模様で表されている２つのタイムスロット＃２，＃５から構成されており、第３のグループは、水平線の縞模様で表されている１つのタイムスロット＃１からなる。第１のグループが割り当てられた通信装置又はユーザのグループは、第１のグループのアクセスリソースにアクセスするための共通のアクセス確率分布を使用することもでき、あるいは、第１のグループが割り当てられている通信装置又はユーザは、それぞれ異なる確率分布を使用することもできる。第２のアクセスリソースのグループについても同様である。第３のアクセスリソースグループは、単一のアクセスリソースしか含んでいないため、選択できるタイムスロットは１つしかなく、したがって、第３のグループが割り当てられた通信装置は、アクセス確率分布を使用することができない。なお、この単一のタイムスロットに対するアクセスの試みの確率は、必ずしも１００％である必要はなく、意図されるアプリケーションに応じて、この確率は１００％より低いものであってもよい。
【００２３】
図３は、本発明に基づいて分割されたアクセスリソースグループの第２の具体例を示す図である。この具体例では、アクセスリソースは、タイムスロット（又はタイムオフセット）及びプリアンブルシグネチャ（又はプリアンブルコード）により定義される。例えばＵＭＴＳ方式では、ランダムアクセスチャンネルは、２個の無線フレーム（radio frame）又は２個のランダムアクセスタイムウィンドウ内に最大１５個のタイムスロット及び１６個のプリアンブルシグネチャを有し、したがって、合計で最大２４０個のアクセスリソースを使用することができる。図３では、８個のタイムスロット＃０，＃１，・・・＃７と、１６個のプリアンブルシグネチャ＃０，＃１，・・・＃１５を有する具体例を示している。アクセスリソースは、３つのアクセスリソースグループに分割されている。×印で表されているアクセスリソースは、第１のアクセスリソースグループに属し、タイムスロット＃０，＃１，＃２，＃３とプリアンブルシグネチャ＃０，＃１，２，＃３，＃４，＃５，＃６，＃７により定義される。黒丸印で表されているアクセスリソースは、第２のアクセスリソースグループに属し、タイムスロット＃４，＃５，＃６，＃７とプリアンブルシグネチャ＃０，＃１，２，＃３，＃４，＃５，＃６，＃７により定義される。無印の正方形で表されているアクセスリソースは、第３のアクセスリソースグループに属し、タイムスロット＃０，＃１，＃２，＃３，＃４，＃５，＃６，＃７と、プリアンブルシグネチャ＃８，＃９，＃１０，＃１１，＃１２，＃１３，＃１４，＃１５により定義される。図２に示す具体例及び図３に示す具体例の両方において、アクセスリソースは、厳密に複数のグループに分割されており、グループ間におけるアクセスリソースの重複は存在しない。しかしながら、グループ間でアクセスリソースが重複していてもよく、すなわち、１以上のアクセスリソースが２以上のアクセスリソースグループに属していてもよい。
【００２４】
上述のように、本発明を適用した通信装置１は、アクセス確率分布が格納されたメモリ７を備え、このメモリ７に格納されているアクセス確率分布に基づいて、選択回路５がアクセスリソースをランダムに選択する。メモリ７は、例えば内蔵メモリ又はマイクロコントローラ等、通信装置１内に固定的に配設されていてもよい。あるいは、これに代えて、メモリ７は、通信装置１に接続できる装置に設けてもよい。後者の場合、メモリ７は、ＵＭＴＳにおける統一加入者識別モジュール（unified subscriber identity module：ＵＳＩＭ）等、通信装置に挿入される付属的な装置の一部であってもよい。さらに、メモリ７は、通信装置１に挿入されるメモリスティックの一部であってもよい。さらに、これらを組み合わせ、アクセス確率分布を例えば加入者識別モジュールと通信装置１の内蔵メモリとの両方を利用して記憶するようにしてもよい。この場合、加入者識別モジュールが通信装置１に挿入されて識別されると、通信装置１の固定メモリ内に格納されているアクセス確率分布が上書きされるようにしてもよく、あるいは、加入者識別モジュールのメモリ又はメモリスティックに記憶されているアクセス確率分布を優先させるようにしてもよい。さらに、他の通信装置から送信されてくるアクセス確率分布を受信し、このアクセス確率分布により加入者識別モジュール、メモリスティック及び／又は通信装置１の内蔵メモリに格納されている現在のアクセス確率分布を上書きしてもよく、あるいは、上書きは行わず、他の通信装置から送信されてきたアクセス確率分布を優先させるようにしてもよい。このような処理により、現在割り当てられているアクセス確率分布をシステムパラメータやシステム要求の変化に応じて、柔軟に適応化することができる。
【００２５】
さらに、特定のイベントの発生に応じて、内蔵メモリ、メモリスティック、加入者識別モジュール等に記憶され、あるいは他の通信装置から送信されてくるアクセス確率分布を変更することもできる。このようなイベントは、選択回路５及びメモリ７に接続されている検出回路６により検出される。この場合、例えばメモリ７には、複数の利用できるアクセス確率分布が格納されており、現在のアクセス確率分布は、特定のイベントの発生に応じて変更される。特定のイベントとは、例えば他の通信装置からの対応する命令であってもよく、所定の時刻の到来であってもよい。後者の場合、特定の時刻は、例えば、通信システムのユーザがランダムアクセス要求の送信に関する振る舞いを変化させる、統計的に得られた時刻としてもよい。さらに、現在割り当てられているアクセス確率分布を周期的に変化させるようにしてもよい。なお、検出によりアクセス確率分布を変更させる特定のイベントとしては、いかなる種類のものを定義してもよい。さらに、異なる種類のイベントの組み合わせを定義してもよい。
【００２６】
以上のように、本発明は、ランダムアクセスチャンネルにおけるアクセスリソースへの柔軟で効率的なアクセスを実現する。特に、少なくとも２つのアクセスリソースに対する異なるアクセス確率を定義するアクセス確率分布を決定することにより、ユーザ及び／又は通信装置、又は伝送すべきデータの種類に応じて、異なる優先レベルを柔軟に決めることができる。
【００２７】
【発明の効果】
以上のように、本発明に係る通信装置は、少なくとも２つのアクセスリソースが異なるアクセス確率を有するように、アクセスリソースへのランダムアクセスの確率を定義し、通信装置に割り当てられているアクセス確率分布に基づいて、複数のアクセスリソースから任意のアクセスリソースをランダムに選択する選択手段と、ランダムに選択されたアクセスリソースを用いてランダムアクセスバーストを送信する送信手段とを備える。これにより、ランダムアクセスチャンネルにおけるアクセスリソースにより効率的且つより柔軟にアクセスして、データを送受信することができる。
【００２８】
また、本発明に係る通信方法は、少なくとも２つのアクセスリソースが異なるアクセス確率を有するように、アクセスリソースへのランダムアクセスの確率を定義し、通信装置に割り当てられているアクセス確率分布に基づいて、複数のアクセスリソースから任意のアクセスリソースをランダムに選択するステップと、ランダムに選択されたアクセスリソースを用いてランダムアクセスバーストを送信するステップとを有する。これにより、ランダムアクセスチャンネルにおけるアクセスリソースにより効率的且つより柔軟にアクセスして、データを送受信することができる。
【図面の簡単な説明】
【図１】本発明に基づく通信装置の構成を示すブロック図である。
【図２】アクセスリソースのグループ化の第１の具体例を示す図である。
【図３】アクセスリソースのグループ化の第２の具体例を示す図である。
【符号の説明】
１  通信装置、２  アンテナ、３  送信回路、４  受信回路、５  選択回路、６検出回路、７  メモリ
【図１】
0004813679.tif 000002
【図２】
0004813679.tif 000003
【図３】
0004813679.tif 000004